(57)【要約】【課題】ステップチェーンの伸びに応じて、テンション調整バネの付勢力を常時適切なものに自動的に調節することが可能であって、定期的な保守点検によるテンション調整バネの状態確認及びバネ付勢力の調節作業の必要頻度を大きく低減することが可能であるマンコンベアステップチェーンテンション調整装置を得る。【解決手段】一方が移動可能に設けられた一対のステップチェーンスプロケット間に無端状に巻き掛けられたステップチェーンと、この一方のスプロケットを、一対のスプロケット間の距離を大きくする方向に付勢するテンション調整バネと、を備えたマンコンベアステップチェーンテンション調整装置において、前記一方のスプロケットのスプロケット間の距離を大きくする方向への移動量に応じて、テンション調整バネの圧縮量が所定の範囲内となるように自動的に調整するバネ圧縮量調整手段と、を備える。【選択図】図１
2010168149.tif 000002
【特許請求の範囲】
【請求項１】
一方が移動可能に設けられた一対のステップチェーンスプロケット間に無端状に巻き掛けられたステップチェーンと、
この移動可能に設けられた一方のステップチェーンスプロケットを、前記一対のステップチェーンスプロケット間の距離を大きくする方向に付勢するテンション調整バネと、を備えたマンコンベアステップチェーンテンション調整装置であって、
前記移動可能に設けられた一方のステップチェーンスプロケットの前記一対のステップチェーンスプロケット間の距離を大きくする方向への移動量に応じて、前記テンション調整バネの圧縮量が所定の範囲内となるように自動的に調整するバネ圧縮量調整手段と、を備えたことを特徴とするマンコンベアステップチェーンテンション調整装置。
【請求項２】
前記バネ圧縮量調整手段は、
前記移動可能に設けられた一方のステップチェーンスプロケットの移動を機械的に伝達する移動伝達手段と、
前記移動伝達手段により伝達された前記移動可能に設けられた一方のステップチェーンスプロケットの移動によって、機械的に前記テンション調整バネを圧縮するバネ圧縮手段と、からなることを特徴とする請求項１に記載のマンコンベアステップチェーンテンション調整装置。
【請求項３】
前記移動伝達手段は、一端部が前記移動可能に設けられた一方のステップチェーンスプロケットに係合され、他端部が揺動自在に軸支された可動アームと、
一端部が前記可動アームの長手方向中間部に回動自在に取付けられたロッドと、を備えたことを特徴とする請求項２に記載のマンコンベアステップチェーンテンション調整装置。
【請求項４】
前記移動可能に設けられた一方のステップチェーンスプロケットの軸を回転可能に支持するスライド軸受に設けられた可動アーム用摺動ピンが、前記可動アームの前記一端部側に設けられた長孔内に摺動自在に係合することにより、前記移動可能に設けられた一方のステップチェーンスプロケットと前記可動アームとが係合されていることを特徴とする請求項３に記載のマンコンベアステップチェーンテンション調整装置。
【請求項５】
前記バネ圧縮手段は、
前記テンション調整バネの両端にそれぞれ接して設けられた一対のバネ受と、
前記一対のバネ受の一方を他方の前記バネ受の方へと押すネジ棒と、
前記ネジ棒に螺合するナットと、を備え、
前記移動伝達手段により伝達された前記移動可能に設けられた一方のステップチェーンスプロケットの移動によって、前記ナットを回転させ、ネジ送り作用により前記ネジ棒を移動させて前記一対のバネ受の一方を他方の前記バネ受の方へと押すことで前記テンション調整バネを圧縮することを特徴とする請求項２から請求項４のいずれかに記載のマンコンベアステップチェーンテンション調整装置。
【請求項６】
前記ナットは、外周にラチェット歯が設けられたラチェットナットであって、前記テンション調整バネを圧縮する方向への回転のみが許されていることを特徴とする請求項５に記載のマンコンベアステップチェーンテンション調整装置。
【請求項７】
前記テンション調整バネの圧縮量が、所定の圧縮量を超えることを防止するバネ圧縮量規制手段を備えたことを特徴とする請求項１から請求項４のいずれかに記載のマンコンベアステップチェーンテンション調整装置。
【請求項８】
前記ネジ棒の前記一方のバネ受側の端部に前記ネジ棒と一体となって回転するように設けられ、その外周に交互に凹凸が設けられて歯型が形成された歯型付き座金と、
前記他方のバネ受から前記一方のバネ受へと向けて設けられた角ロッドと、
前記角ロッドの前記一方のバネ受側の端部に、前記他方のバネ受へと向けて凸設された突起棒とを有し、
前記テンション調整バネの圧縮量が所定の圧縮量以下である場合には、前記突起棒が前記歯型付き座金の歯と歯の間に配置されて、前記突起棒が前記歯型に当接することにより、前記歯型付き座金及び前記ネジ棒の回転を規制することで、前記ナットが前記ネジ棒に対して回転しネジ送り作用により前記ネジ棒が移動することを可能とし、
前記テンション調整バネの圧縮量が前記所定の圧縮量を超える場合には、前記突起棒が前記歯型付き座金の歯と歯の間に配置されずに、前記突起棒の前記歯型に対する当接が外れ、前記ナットが前記ネジ棒と一体となって回転しネジ送り作用が発揮されずに前記ネジ棒の移動を規制することにより、前記テンション調整バネの圧縮量が、所定の圧縮量を超えることを防止するバネ圧縮量規制手段を備えたことを特徴とする請求項５又は請求項６のいずれかに記載のマンコンベアステップチェーンテンション調整装置。
【発明の詳細な説明】
【技術分野】
【０００１】
この発明は、マンコンベアステップチェーンテンション調整装置に関するものである。
【背景技術】
【０００２】
マンコンベアの一種である一般的なエスカレータにおいては、エスカレータトラス内の上下両端寄りに上部及び下部ステップチェーンスプロケットが設けられ、これら上部及び下部ステップチェーンスプロケットには無端状のステップチェーンが巻き掛けられている。そして、このステップチェーンには複数のステップが連結されており、これらのステップは前記ステップチェーンに案内されて前記エスカレータトラス内を循環移動する。
このように構成された従来の一般的なエスカレータにおいては、ステップチェーンのたるみを防止したり、エスカレータの走行によりステップに対する荷重変化等に応じて発生する伸びや経年変化による伸びを吸収したりすることを目的として、一方のスプロケット、例えば前記下部ステップチェーンスプロケットを移動可能とし、前記上部及び下部ステップチェーンスプロケット間の距離が大きくなる方向、すなわち前記エスカレータトラスの端部方向へとバネにより付勢するテンション調整装置が設けられている。
ステップチェーンの伸びが発生した場合には、このテンション調整装置の作用により下部ステップチェーンスプロケットが前記エスカレータトラスの端部方向へと移動することになる。
【０００３】
従来におけるマンコンベアステップチェーンテンション調整装置においては、ステップチェーンが伸びてテンション調整装置の作用により下部ステップチェーンスプロケットが前記エスカレータトラスの端部方向へと移動した際でもステップローラのガイドレールへの衝突音の発生を低減するものとして、ステップがエスカレータトラス内の端部寄りにおいて反転する際に、ステップローラを案内するガイドレールから離れたステップローラが再度ガイドレールに接面する際に、ステップチェーンを下方から上方へ押圧するチェーンガイド装置によりステップローラを持ち上げ、下部ステップチェーンスプロケットが移動しステップローラの接面位置が変化してもステップローラはガイドレールに衝突することなく円滑に接面できて騒音の発生を防止可能なように構成したものが知られている（例えば、特許文献１参照）。
【０００４】
また、長期間使用される等によりチェーンが大幅に伸びてしまった場合に、下部ステップチェーンスプロケットが大きくエスカレータトラス端部方向へと移動してしまうことによる、ステップと設置機器との干渉等を防ぐために、テンションロッドに下部ステップチェーンスプロケットの移動範囲を規制するためのダブルナットを設けたものや（例えば、特許文献２参照）、ステップチェーンの許容限度以上の伸びを検出するために、テンションロッドの上方近傍に固設したリミットスイッチと、テンションロッド途中にリミットスイッチの作動レバーに当接するスイッチ動作用押し板と、を備えたものも知られている（例えば、特許文献３参照）。
【０００５】
【特許文献１】特開２００２−０４６９６７号公報
【特許文献２】実開昭５７−０７４３６６号公報
【特許文献３】実開昭５８−０２３８７２号公報
【発明の開示】
【発明が解決しようとする課題】
【０００６】
このような従来のマンコンベアステップチェーンテンション調整装置においては、ステップチェーンの伸びに対し、保守点検時にテンションロッドのナットを締め込む等し、テンション調整バネの付勢力を調整することにより、ステップチェーンのテンション調整を行っていた。
そして、以上の特許文献に示されたいずれの従来のマンコンベアステップチェーンテンション調整装置においても、想定よりステップチェーンの伸びが大きい場合、定期的な保守点検までにテンション調整バネの伸びが大きくなって付勢力が小さくなり、下部ステップチェーンスプロケットの軸を同位置に保持する力が弱まって移動しやすくなってしまうため、ステップが移動方向の前後に変位しやすく不安定となってしまうという課題がある。
また、定期的に、又は、リミットスイッチによる検出等がある都度、保守点検を行ってテンション調整装置のバネの長さを確認するとともに、バネの付勢力を適切なものに調整しなければならず、作業に煩雑な手数が掛かるという課題もあった。
【０００７】
この発明は、前述のような課題を解決するためになされたもので、ステップチェーンの伸びに応じて、テンション調整バネの付勢力を常時適切なものに自動的に調節することが可能であって、定期的な保守点検によるテンション調整バネの状態確認及びバネ付勢力の調節作業の必要頻度を大きく低減することが可能であるマンコンベアステップチェーンテンション調整装置を得るものである。
【課題を解決するための手段】
【０００８】
この発明に係るマンコンベアステップチェーンテンション調整装置においては、一方が移動可能に設けられた一対のステップチェーンスプロケット間に無端状に巻き掛けられたステップチェーンと、この移動可能に設けられた一方のステップチェーンスプロケットを、前記一対のステップチェーンスプロケット間の距離を大きくする方向に付勢するテンション調整バネと、を備えたマンコンベアステップチェーンテンション調整装置であって、前記移動可能に設けられた一方のステップチェーンスプロケットの前記一対のステップチェーンスプロケット間の距離を大きくする方向への移動量に応じて、前記テンション調整バネの圧縮量が所定の範囲内となるように自動的に調整するバネ圧縮量調整手段と、を備えた構成とする。
【発明の効果】
【０００９】
この発明はマンコンベアステップチェーンテンション調整装置について、一方が移動可能に設けられた一対のステップチェーンスプロケット間に無端状に巻き掛けられたステップチェーンと、この移動可能に設けられた一方のステップチェーンスプロケットを、前記一対のステップチェーンスプロケット間の距離を大きくする方向に付勢するテンション調整バネと、を備えたマンコンベアステップチェーンテンション調整装置であって、前記移動可能に設けられた一方のステップチェーンスプロケットの前記一対のステップチェーンスプロケット間の距離を大きくする方向への移動量に応じて、前記テンション調整バネの圧縮量が所定の範囲内となるように自動的に調整するバネ圧縮量調整手段と、を備えた構成としたことで、ステップチェーンの伸びに応じて、テンション調整バネの付勢力を常時適切なものに自動的に調節することが可能であって、定期的な保守点検によるテンション調整バネの状態確認及びバネ付勢力の調節作業の必要頻度を大きく低減することができるという効果を奏する。
【発明を実施するための最良の形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図３は、この発明の実施の形態１に関するもので、図１はマンコンベアステップチェーンテンション調整装置の斜視図、図２はマンコンベアステップチェーンテンション調整装置の側面図、図３はマンコンベアステップチェーンテンション調整装置の正面図である。なお、これらの図においては、見易くするため一部のステップの図示を省略している。
ここでは、マンコンベアとしてエスカレータを取り上げて説明する。
図において１は、エスカレータの基本的骨組みであるエスカレータトラスである。このエスカレータトラス１内の上下両端寄りには図示しない上部ステップチェーンスプロケット及び下部ステップチェーンスプロケット２が、それぞれ左右一対ずつ設けられており、これら前記上部ステップチェーンスプロケット及び前記下部ステップチェーンスプロケット２の間には、一対のステップチェーン３が無端状に巻き掛けられている。そして、これら一対のステップチェーン３の間には複数のステップ４が連結されており、これらのステップ４は前記ステップチェーン３に案内され、前記上部ステップチェーンスプロケット及び前記下部ステップチェーンスプロケット２において上下反転しながら前記エスカレータトラス１内を循環移動する。
なお、各前記ステップ４には、図示しないレール上を転動するステップローラ４ａが取付けられており、また、前記エスカレータトラス１の底部のほぼ全域に亘ってはオイルパン５が設置されている。
【００１２】
一対の前記下部ステップチェーンスプロケット２は、チェーンスプロケット軸６の両端寄りにそれぞれ固定されており、このチェーンスプロケット軸６はその両端部において一対のスライド軸受７により回転自在に軸支されている。
これらの前記スライド軸受７の下部には軸受用コロ７ａが設けられており、この軸受用コロ７ａが一対の軸受ガイド８上を転動しながら案内されることにより、前記スライド軸受７は前記エスカレータトラス１の長手方向に移動可能に支持されている。従って、前記下部ステップチェーンスプロケット２は、回転自在かつ前記エスカレータトラス１の長手方向に移動可能である。
【００１３】
Ｌ字鋼からなる前記エスカレータトラス１の下枠上であって、前記下部ステップチェーンスプロケット２の前記エスカレータトラス１下端部寄りの位置には、ベース板９ａを介して断面略Ｌ字型のロッド支え枠９が略垂直に立設されており、前記スライド軸受７には、前記エスカレータトラス１の下端部側へと向けてテンションロッド１０が接続されている。
このテンションロッド１０は、前記ロッド支え枠９に穿設された孔を貫通した上で、前記テンション調整バネ１１が通されており、このテンション調整バネ１１の前記下部ステップチェーンスプロケット２側には第１のバネ受１２が、その略中心部に穿設された第１のロッド孔１２ａに前記テンションロッド１０が通されることにより設けられている。また、このテンション調整バネ１１の反前記下部ステップチェーンスプロケット２側には第２のバネ受１３が、その略中心部に穿設された第２のロッド孔１３ａに前記テンションロッド１０が通されることにより設けられている。
前記テンションロッド１０の反前記下部ステップチェーンスプロケット２側の端部にはネジ山が螺刻されており、このネジ山に螺合する前記テンション調整用ナット１４が前記第２のバネ受１３の反前記下部ステップチェーンスプロケット２側に隣接して設けられている。
前記テンション調整バネ１１は、これら前記第１のバネ受１２及び前記第２のバネ受１３の間で圧縮されて、前記テンションロッド１０を前記下部ステップチェーンスプロケット２が前記エスカレータトラス１下端側へと移動する方向へと付勢している。その付勢力（すなわち、テンション）の調整は、前記テンション調整用ナット１４を回してその螺合位置を変化させることにより、前記第１のバネ受１２及び前記第２のバネ受１３の間隔を調整して前記テンション調整バネ１１の圧縮量を調節することで行われる。
また、前記テンションロッド１０の反前記下部ステップチェーンスプロケット２側の端部寄りには、割りピン１５が取付けられており、前記テンション調整用ナット１４の螺合位置を規制している。
【００１４】
前記エスカレータトラス１の前記下枠には、可動アーム１７の下端部が前記第１のピン１６により揺動自在に取付けられており、この可動アーム１７の反前記下枠側（すなわち、上部側）の長手方向に亘っては、長孔１７ａが穿設されている。
この長孔１７ａ内には、前記スライド軸受７の側面外側に設けられた可動アーム用摺動ピン７ｂが摺動自在に係合しており、前記下部ステップチェーンスプロケット２の前記エスカレータトラス１の長手方向における移動が、前記可動アーム１７の揺動へと変換されるようになっている。
前記可動アーム１７の長手方向中間部には、第２のピン１８により第１のロッド１９の一端部が回動自在に取付けられている。この第１のロッド１９他端部には上方に向けて切り欠かれて斜面部１９ｂが形成されるとともに下部には第１のコロ１９ａが設けられており、この前記第１のコロ１９ａが、前記ロッド支え枠９の中間部に略水平に取付けられた断面略コ字型のロッド受ガイド２０上を転動することにより、前記第１のロッド１９は、前記ロッド受ガイド２０に案内されて略水平方向移動自在に支持されている。
このような構成により前記可動アーム１７の揺動が前記第１のロッド１９の水平運動として伝わるようになっている。
【００１５】
前記ロッド支え枠９の、前記第１のロッド１９及び前記ロッド受ガイド２０から見て上方側には、前記ロッド支え枠９に取付けられたロッドガイド２１により、第２のロッド２２がその長手方向が上下に配置され、かつ、上下方向摺動自在となるように支持されている。
この第２のロッド２２の下端部には、第２のコロ２２ａが回動自在に設けられており、この第２のコロ２２ａは、前記第１のロッド１９の前記斜面部１９ｂ上を転動するように当接している。
前記第２のロッド２２は、前記ロッドガイド２１と前記第２のコロ２２ａとの間に挿入された戻りバネ２３の作用により、下に移動する方向に付勢されており、このことから、前記第２のコロ２２ａが前記斜面部１９ｂへと適度に押圧されて、前記斜面部１９ｂと前記第２のコロ２２ａとの間で滑りが発生し難いようになっている。併せて、前記ロッド受ガイド２０に設けられた当て板２０ａにより、前記斜面部１９ｂに押された前記第２のコロ２２ａが適切に上下方向へと移動するように案内されている。
また、前記第２のロッド２２の上部側の長手方向に亘っては、第１のラチェット歯２２ｂが設けられている。
【００１６】
前記テンションロッド１０には、第３のロッド孔２４ａが穿設されることにより中空であって外周にネジ山が螺刻された中空ネジ棒２４が通されており、前記第１のバネ受１２の前記下部ステップチェーンスプロケット２側に座金を介して隣接するように配置されている。
そして、この中空ネジ棒２４の前記ネジ山には、その外周に第２のラチェット歯２５ａを有するラチェットナット２５が螺合している。
前記ロッド支え枠９に穿設されて前記テンションロッド１０が貫通している前記孔の径寸法は、前記中空ネジ棒２４の外径寸法より大きく、かつ、前記ラチェットナット２５の外径寸法より小さくなっている。このため、前記中空ネジ棒２４はこの前記孔を自由に貫通することができる一方、前記ラチェットナット２５は前記ロッド支え枠９に当接することとなり、前記ラチェットナット２５の螺合位置により、前記中空ネジ棒２４の前記ロッド支え枠９に対する位置が決まる。
なお、前記ラチェットナット２５と前記ロッド支え枠９とが直接当接することを防ぐため、前記ラチェットナット２５と前記ロッド支え枠９との間には座金２５ｂが挿入されている。
【００１７】
前記ラチェットナット２５を回転させて、前記中空ネジ棒２４を前記ロッド支え枠９に対して反前記下部ステップチェーンスプロケット２側へと移動させると、この前記中空ネジ棒２４に押されて前記第１のバネ受１２の位置も反前記下部ステップチェーンスプロケット２側へと移動することになる。
よって、前記第１のバネ受１２と前記第２のバネ受１３との間隔が狭くなって前記テンション調整バネ１１が圧縮され、付勢力を強めることができる。
【００１８】
前記ロッド支え枠９の前記ラチェットナット２５から見て上方の位置には、戻り防止爪２６が第３のピン２６ａにより回動自在に取付けられている。この戻り防止爪２６は、つるまきバネ２６ｂにより、前記ラチェットナット２５の前記第２のラチェット歯２５ａに押付けられており、前記ラチェットナット２５の、前記中空ネジ棒２４を反前記下部ステップチェーンスプロケット２側へと移動させる方向への回転を自由に許す一方で、その反対方向への回転を禁止している。
また、前記第２のロッド２２の前記第１のラチェット歯２２ｂは、前記ラチェットナット２５の前記第２のラチェット歯２５ａと歯合しており、前記第２のロッド２２が上方へと移動すると、前記ラチェットナット２５が、前記中空ネジ棒２４を反前記下部ステップチェーンスプロケット２側へと移動させる方向に回転するようになっている。
【００１９】
前記第２のロッド２２の上部、すなわち前記第１のラチェット歯２２ｂが設けられている部分の反前記第１のラチェット歯２２ｂ側には、前記ロッド支え枠９にピン及びピン受２８ａにより回動自在に取付けられた押え板２７が当接しており、この押え板２７を間に挟んで、押しバネ２８ｂによって前記第２のロッド２２を前記ラチェットナット２５側へと押圧している。このようにして、前記第１のラチェット歯２２ｂと前記第２のラチェット歯２５ａの歯合が外れることを防止している。
なお、前記押しバネ２８ｂは、前記ロッド支え枠９に穿設された孔部の裏側から第１の金具２８ｃを宛がうことにより形成された凹陥部に配置されており、落下等してしまうことがないようになっている。
【００２０】
前記第２のバネ受１３の下部には角ロッド支持部１３ｂが形成されており、この角ロッド支持部１３ｂには前記第１のバネ受１２側へと向けて前記テンションロッド１０と平行して角ロッド１３ｃが設けられている。そして、この角ロッド１３ｃは、前記第１のバネ受１２の下部に穿設された前記角ガイド孔１２ｂに通されている。
また、前記第１のバネ受１２の前記角ガイド孔１２ｂが設けられた部位のさらに下部には、第２の金具１２ｃが取付けられており、この前記第２の金具１２ｃには、第４のピン２９ａによりリンク２９の一端部が回動自在に取付けられている。
この前記リンク２９の他端部には長孔が穿設されており、この長孔内に摺動自在に係合する第５のピン２９ｂにより、前記ロッドガイド２１に取付けられた第３の金具２１ａへと接続されている。
前記角ロッド１３ｃ及び前記リンク２９により、前記第１のバネ受１２及び前記第２のバネ受１３が前記テンションロッド１０に対して不用意に回転してしまうことを防止している。
【００２１】
ここで、前記可動アーム１７、前記第１のロッド１９及び前記第２のロッド２２は、前記下部ステップチェーンスプロケット２の移動を機械的に伝達する移動伝達手段を構成しており、前記第１のバネ受１２、前記第２のバネ受１３、前記中空ネジ棒２４及び前記ラチェットナット２５は、この移動伝達手段により伝達された前記下部ステップチェーンスプロケット２の移動によって、機械的に前記テンション調整バネ１１を圧縮するバネ圧縮手段を構成している。
また、これらの前記移動伝達手段及びバネ圧縮手段は、前記下部ステップチェーンスプロケット２の移動量に応じて前記テンション調整バネ１１の圧縮量を適切なものに自動的に調整するバネ圧縮量調整手段を構成している。
なお、以上は一対の前記下部ステップチェーンスプロケット２のうち一側について主に述べたが、他側についても同様にして構成される。
【００２２】
このようにして構成されたマンコンベアステップチェーンテンション調整装置においては、前述したように前記テンション調整用ナット１４により前記第１のバネ受１２の位置を調整することで、前記テンション調整バネ１１の圧縮量を調整し、前記ステップチェーン３に掛かるテンションを調整する。
当該エスカレータを使用することにより前記ステップチェーン３に伸びが生じると、前記テンション調整バネ１１の作用により前記下部ステップチェーンスプロケット２が前記エスカレータトラス１下端側へと移動して、前記ステップチェーン３のテンションが維持される。
【００２３】
この際、前記下部ステップチェーンスプロケット２の前記エスカレータトラス１下端側への移動は、前記可動アーム１７の揺動へと変換され、さらに、前記第１のロッド１９の前記エスカレータトラス１下端側への移動として伝えられる。
そして、前記第１のロッド１９が前記エスカレータトラス１下端側へと移動すると、前記斜面部１９ｂ及び前記第２のコロ２２ａを介して、前記第２のロッド２２が上方へと押し上げられる。
前記第２のロッド２２が上方へと押し上げられると、前記第１のラチェット歯２２ｂ及びこれに歯合する前記第２のラチェット歯２５ａの作用により、前記ラチェットナット２５が、前記中空ネジ棒２４を前記ロッド支え枠９に対して反前記下部ステップチェーンスプロケット２側へと移動させる方向へと締められる。
従って、前記中空ネジ棒２４が反前記下部ステップチェーンスプロケット２側へと移動し、前記第１のバネ受１２を前記第２のバネ受１３の側へと押すことにより、前記テンション調整バネ１１が圧縮される。
【００２４】
こうして、前記ステップチェーン３に伸びが生じて前記テンション調整バネ１１の作用により前記下部ステップチェーンスプロケット２が前記エスカレータトラス１下端側へと移動した場合、そのままであれば、この移動に伴って前記第１のバネ受１２と前記第２のバネ受１３との間隔が増加し前記テンション調整バネ１１の圧縮量が減少してしまうところ、この前記下部ステップチェーンスプロケット２の移動を、前記可動アーム１７、前記第１のロッド１９、前記第２のロッド２２と伝達して前記ラチェットナット２５を締め込み、前記中空ネジ棒２４により前記第１のバネ受１２を前記第２のバネ受１３の側へと押すことにより、前記テンション調整バネ１１は圧縮され、前記テンション調整バネ１１の圧縮量を所定の範囲内に維持し、すなわち、前記ステップ４に掛かるテンションを常に適切な状態で維持する。
【００２５】
なお、前記ステップ４に利用者が搭乗することにより、前記ステップチェーン３に働く荷重は常に変動しており、これに伴って、前記チェーンスプロケット軸６の位置も常に僅かながら変動している。
この常時発生する前記チェーンスプロケット軸６の比較的微小な位置変動によって、前記ラチェットナット２５が締め込まれてしまうと、ラチェット作用により一度締め込まれた前記ラチェットナット２５は元に戻らないことからしても、不都合な状況が発生してしまうことが考えられる。
そこで、前記第１のロッド１９を前記可動アーム１７の長手方向中間部において連結することにより、てこの原理によって前記チェーンスプロケット軸６の変位量よりも前記第１のロッド１９の変位量の方が小さくなるようにするとともに、前記第１のラチェット歯２２ｂ及び前記第２のラチェット歯２５ａの歯の間隔を調整することにより、常時発生する前記チェーンスプロケット軸６の比較的微小な位置変動によっては前記ラチェットナット２５が締め込まれることがなく、所定より大きな前記チェーンスプロケット軸６の位置変動があると前記ラチェットナット２５が締め込まれるように構成している。
また、前記第１のロッド１９を前記可動アーム１７の長手方向中間部において連結することにより、てこの原理によって、前記第１のロッド１９から前記第２のロッド２２へと伝達される力が大きくなるという作用もある。
【００２６】
以上のように構成されたマンコンベアステップチェーンテンション調整装置においては、移動可能に設けられた下部ステップチェーンスプロケットの上部及び下部ステップチェーンスプロケット間の距離を大きくする方向への移動量に応じて、テンション調整バネの圧縮量が所定の範囲内となるように自動的に調整するバネ圧縮量調整手段を備えたことにより、ステップチェーンの伸びに応じて、テンション調整バネの付勢力を常時適切なものに自動的に調節することが可能であって、定期的な保守点検によるテンション調整バネの状態確認及びバネ付勢力の調節作業の必要頻度を大きく低減することができる。
そして、このため、ステップチェーンの長寿命化を図ることが可能である。
【００２７】
また、バネ圧縮量調整手段を、下部ステップチェーンスプロケットの移動を機械的に伝達する移動伝達手段と、この移動伝達手段により伝達された下部ステップチェーンスプロケットの移動によって、機械的にテンション調整バネを圧縮するバネ圧縮手段と、から構成し、この移動伝達手段を、一端部が下部ステップチェーンスプロケットに係合され、他端部が揺動自在に軸支された可動アームと、一端部が可動アームの長手方向中間部に回動自在に取付けられたロッドと、を備えた構成としたことで、てこの原理によって下部ステップチェーンスプロケットの変位量よりもロッド変位量の方が小さくなり、かつ、このロッドが伝達する力を大きくすることが可能であり、常時発生する下部ステップチェーンスプロケットの比較的微小な位置変動によっては、バネ圧縮量調整手段によるテンション調整バネの圧縮量調整が作動しないようにすることができる。
【００２８】
そして、この実施の形態においては、具体的な下部ステップチェーンスプロケットと可動アームとの係合方法として、下部ステップチェーンスプロケットの軸を回転可能に支持するスライド軸受に設けられた可動アーム用摺動ピンを、可動アームの一端部側に設けられた長孔内に摺動自在に係合させる方法を採用した。
【００２９】
実施の形態２．
図４及び図５は、この発明の実施の形態２に関するもので、図４はマンコンベアステップチェーンテンション調整装置の分解斜視図、図５はマンコンベアステップチェーンテンション調整装置の要部拡大側面図である。
前述した実施の形態１においては、中空ネジ棒のネジ山の範囲内であればラチェットナットを際限なく締め込むことが可能であり、また、一度締め込むとラチェットの作用により元の螺合位置に戻ることがないため、例えば、何らかの要因によりステップチェーンに大きな荷重変動があると、チェーンスプロケット軸の位置が大きく変動して、ラチェットナットが締め込まれ過ぎてしまうといった事態が考えられる。
そこで、ここで説明する実施の形態２は、前述した実施の形態１の構成に加えて、テンション調整バネの圧縮量が所定より大きくなった場合には、ラチェットナットが中空ネジ棒に対して回転しなくなるようにして、これ以上ラチェットナットが締め込まれることを防止する手段（バネ圧縮量規制手段）を備えるようにしたものである。
【００３０】
すなわち、前記第１のバネ受１２と前記中空ネジ棒２４との間には、歯型付き座金３０が挿入されている。この歯型付き座金３０の外周には、交互に凹凸が設けられて歯型３０ａが形成されており、この歯型付き座金３０の略中心部には、略正方形を呈する角孔３０ｂが穿設されている。
前記中空ネジ棒２４の前記歯型付き座金３０側の端部面には、前記角孔３０ｂと係合する角突起２４ｂが設けられており、この前記角突起２４ｂが前記角孔３０ｂに係合した状態では、前記中空ネジ棒２４と前記歯型付き座金３０とが、一体となって回転する。
前記第２のバネ受１３の前記角ロッド支持部１３ｂから凸設された前記角ロッド１３ｃの、前記第１のバネ受１２側の端部には、第４の金具１３ｄが上方に向けて取付けられている。そして、この前記第４の金具１３ｄには、前記第２のバネ受１３側へと向けて先端が緩く尖った突起棒１３ｅが凸設されている。
この突起棒１３ｅは、前記歯型付き座金３０の前記歯型３０ａの歯と歯の間を通って、前記第１のバネ受１２に穿設された突起棒逃げ孔１２ｄ内に、遊びをもって貫通するように配置されている。
なお、他の構成は実施の形態１と同様である。
【００３１】
このように構成されたマンコンベアステップチェーンテンション調整装置において、前記テンション調整バネ１１の圧縮量が少なく、前記突起棒１３ｅが前記歯型３０ａの歯と歯の間を通って突起棒逃げ孔１２ｄ内を貫通した状態であるときは、前記歯型３０ａと前記突起棒１３ｅとが当接することにより前記歯型付き座金３０は、前記テンションロッド１０に対して回転することができない。
従って、前記歯型付き座金３０と前記角孔３０ｂ及び前記角突起２４ｂを介して係合している前記中空ネジ棒２４も、前記テンションロッド１０に対して回転することがないため、前記第２のロッド２２が上方向へと移動すると、前記第１のラチェット歯２２ｂと前記第２のラチェット歯２５ａとの歯合を介して、前記ラチェットナット２５が前記中空ネジ棒２４に対して回転する。
そして、前記ラチェットナット２５の前記中空ネジ棒２４における螺合位置が移動するので、前記中空ネジ棒２４が反前記下部ステップチェーンスプロケット２側へと移動して前記第１のバネ受１２を前記第２のバネ受１３の側へと押し、前記テンション調整バネ１１が圧縮される。
【００３２】
一方、前記テンション調整バネ１１の圧縮量が大きくなり、前記第１のバネ受１２及び前記歯型付き座金３０が、前記突起棒１３ｅの先端部よりも前記第２のバネ受１３側へと移動すると、前記突起棒１３ｅは、前記歯型３０ａの歯と歯の間及び前記突起棒逃げ孔１２ｄ内を通らなくなる。
このとき、前記歯型付き座金３０は、前記テンションロッド１０に対して自由に回転することができるようになるため、前記中空ネジ棒２４も同様に前記テンションロッド１０に対して回転することができる。従って、前記第２のロッド２２が上方向へと移動すると、前記ラチェットナット２５が前記テンションロッド１０に対して回転するが、この際、前記中空ネジ棒２４と前記ラチェットナット２５間の摩擦により、前記中空ネジ棒２４が前記ラチェットナット２５と一体となって前記テンションロッド１０に対して回転する。
すなわち、前記ラチェットナット２５は前記中空ネジ棒２４に対して回転することがないため、前記ラチェットナット２５の前記中空ネジ棒２４における螺合位置が移動することもなく、前記中空ネジ棒２４は移動せずに前記テンション調整バネ１１はこれ以上圧縮されなくなる。
【００３３】
なお、一度前記テンション調整バネ１１の圧縮量が大きくなり、前記第１のバネ受１２及び前記歯型付き座金３０が、前記突起棒１３ｅの先端部よりも前記第２のバネ受１３側へと移動して、これ以上前記テンション調整バネ１１が圧縮されない状態なった後に、前記ステップチェーン３が伸びる等して、前記テンション調整バネ１１の圧縮量が少なくなると、再び前記突起棒１３ｅが、前記歯型３０ａの歯と歯の間及び前記突起棒逃げ孔１２ｄ内を通るようになって、前記ラチェットナット２５の回転による前記中空ネジ棒２４のネジ送り作用が再開される。
このようにして、前記突起棒１３ｅの長さにより定まる、所定の圧縮量より前記テンション調整バネ１１が圧縮されると、一旦前記ラチェットナット２５が回転しても前記中空ネジ棒２４による前記テンション調整バネ１１の圧縮動作が行われなくなるが、その後、前記テンション調整バネ１１の圧縮量が前記所定の圧縮量より小さくなると、再び前記突起棒１３ｅが前記歯型付き座金３０の回転を拘束し、前記ラチェットナット２５の回転による前記中空ネジ棒２４のネジ送り作用が再開される。
【００３４】
以上のように構成されたマンコンベアステップチェーンテンション調整装置においては、実施の形態１と同様の効果を奏することができるのに加えて、テンション調整バネの圧縮量が、所定の圧縮量を超えることを防止するバネ圧縮量規制手段を備えたことで、何らかの要因によりステップチェーンに大きな荷重変動があった場合等に、チェーンスプロケット軸の位置が大きく変動して、ラチェットナットが締め込まれ過ぎてしまうといった事態を未然に防止することができる。
【００３５】
そして、この実施の形態においては、バネ圧縮量規制手段の具体的な構成として、中空ネジ棒の第１のバネ受側の端部に中空ネジ棒と一体となって回転するように設けられ、その外周に交互に凹凸が設けられて歯型が形成された歯型付き座金と、第２のバネ受から第１のバネ受へと向けて設けられた角ロッドと、この角ロッドの第１のバネ受側の端部に、第２のバネ受へと向けて凸設された突起棒とを備え、テンション調整バネの圧縮量が所定の圧縮量以下である場合には、突起棒が歯型付き座金の歯と歯の間に配置されて、突起棒が歯型に当接することにより、歯型付き座金及び中空ネジ棒の回転を規制することで、ラチェットナットが中空ネジ棒に対して回転しネジ送り作用により中空ネジ棒が移動することを可能とし、テンション調整バネの圧縮量が所定の圧縮量を超える場合には、突起棒が歯型付き座金の歯と歯の間に配置されずに、突起棒の歯型に対する当接が外れ、ラチェットナットが中空ネジ棒と一体となって回転しネジ送り作用が発揮されずに中空ネジ棒の移動を規制することにより、テンション調整バネの圧縮量が、所定の圧縮量を超えることを防止するような構成を採った。
なお、前記歯型付き座金３０の歯型にかえて、スリットを設けるようにしてもよい。
【図面の簡単な説明】
【００３６】
【図１】この発明の実施の形態１におけるマンコンベアステップチェーンテンション調整装置の斜視図である。
【図２】この発明の実施の形態１におけるマンコンベアステップチェーンテンション調整装置の側面図である。
【図３】この発明の実施の形態１におけるマンコンベアステップチェーンテンション調整装置の正面図である。
【図４】この発明の実施の形態２におけるマンコンベアステップチェーンテンション調整装置の分解斜視図である。
【図５】この発明の実施の形態２におけるマンコンベアステップチェーンテンション調整装置の要部拡大側面図である。
【符号の説明】
【００３７】
１    エスカレータトラス
２    下部ステップチェーンスプロケット
３    ステップチェーン
４    ステップ
４ａ  ステップローラ
５    オイルパン
６    チェーンスプロケット軸
７    スライド軸受
７ａ  軸受用コロ
７ｂ  可動アーム用摺動ピン
８    軸受ガイド
９    ロッド支え枠
９ａ  ベース板
１０    テンションロッド
１１    テンション調整バネ
１２    第１のバネ受
１２ａ  第１のロッド孔
１２ｂ  角ガイド孔
１２ｃ  第２の金具
１２ｄ  突起棒逃げ孔
１３    第２のバネ受
１３ａ  第２のロッド孔
１３ｂ  角ロッド支持部
１３ｃ  角ロッド
１３ｄ  第４の金具
１３ｅ  突起棒
１４    テンション調整用ナット
１５    割りピン
１６    第１のピン
１７    可動アーム
１７ａ  長孔
１８    第２のピン
１９    第１のロッド
１９ａ  第１のコロ
１９ｂ  斜面部
２０    ロッド受ガイド
２０ａ  当て板
２１    ロッドガイド
２１ａ  第３の金具
２２    第２のロッド
２２ａ  第２のコロ
２２ｂ  第１のラチェット歯
２３    戻りバネ
２４    中空ネジ棒
２４ａ  第３のロッド孔
２４ｂ  角突起
２５    ラチェットナット
２５ａ  第２のラチェット歯
２５ｂ  座金
２６    戻り防止爪
２６ａ  第３のピン
２６ｂ  つるまきバネ
２７    押え板
２８ａ  ピン受
２８ｂ  押しバネ
２８ｃ  第１の金具
２９    リンク
２９ａ  第４のピン
２９ｂ  第５のピン
３０    歯型付き座金
３０ａ  歯型
３０ｂ  角孔
【図１】
2010168149.tif 000003
【図２】
2010168149.tif 000004
【図３】
2010168149.tif 000005
【図４】
2010168149.tif 000006
【図５】
2010168149.tif 000007